(57)【要約】【課題】浄化対象中のガス成分の組成と量が変動する場合においても、触媒シートと吸着剤シートの処理優先度を変化させることで最適な脱臭性能を示すことができる光触媒脱臭機を提供することを目的とする。【解決手段】光触媒脱臭機１は光触媒シート２と吸着剤シート３が間隔をあけて積層された脱臭フィルタ４と励起光源５と送風手段６と風向変更手段７を備えている。光触媒シート２は酸化チタンなどの光触媒を含んで平板状に形成されており、吸着剤シート３は活性炭やゼオライトなどの吸着剤を含んで平板状に形成されており、有害ガスや悪臭成分を分解除去する。浄化対象の空気中に光触媒の働きで容易に分解できるガス成分が多いと予測される場合、優先的に光触媒シートに気流が接触するように風向変更手段７を配置することで光触媒シートにより優先的に分解除去する。【選択図】図１
2011143133.tif 000002
【特許請求の範囲】
【請求項１】
脱臭フィルタと励起光源と送風手段を備えた光触媒脱臭機であって、前記脱臭フィルタは光触媒シートと吸着剤シートを間隔をあけて複数枚積層された構造で、脱臭フィルタの上流側に風向変更手段を備えた光触媒脱臭機。
【請求項２】
脱臭フィルタと励起光源と送風手段を備えた光触媒脱臭機であって、前記脱臭フィルタは光触媒シートと吸着剤シートを密着させた脱臭シートを間隔をあけて複数枚積層し、脱臭シートの露出面が反転する脱臭フィルタである光触媒脱臭機。
【請求項３】
脱臭フィルタと励起光源と送風手段を備えた光触媒脱臭機であって、前記脱臭フィルタは光触媒シートと吸着剤シートを密着させた脱臭シートを棒状の励起光源の長手方向に対して傾斜角を有するように複数枚積層した脱臭フィルタである光触媒脱臭機。
【請求項４】
光触媒シートと吸着剤シートを環状に連結させてなる脱臭シートを棒状の励起光源の長手方向に対して傾斜角を有するように複数枚積層した脱臭フィルタである請求項３記載の光触媒脱臭機。
【請求項５】
開口部を有する光触媒シートと凸部を有する吸着剤シートまたは開口部を有する吸着剤シートと凸部を有する光触媒シートを密着させた脱臭シートである請求項２または３記載の光触媒脱臭機。
【請求項６】
浄化対象のガス組成を検知するガスセンサの出力に応じて風向変更手段を制御する請求項１記載の光触媒脱臭機。
【請求項７】
浄化対象のガス組成を検知するガスセンサの出力に応じて脱臭シートの露出面を反転させる請求項２記載の光触媒脱臭機。
【請求項８】
浄化対象のガス組成を検知するガスセンサの出力に応じて脱臭シートの励起光受光面を反転させる請求項３記載の光触媒脱臭機。
【請求項９】
光触媒脱臭機本体の吸入側と吹出し側の両方にガスセンサを備えた請求項６から８のいずれかに一項に記載の光触媒脱臭機。
【請求項１０】
光触媒脱臭機本体の吸入側と吹出し側を連通するバイパスダクト内にガスセンサを備えた請求項６から８のいずれかに一項に記載の光触媒脱臭機。
【請求項１１】
異なる特性の複数のガスセンサを備えた請求項１０記載の光触媒脱臭機。
【請求項１２】
脱臭フィルタと励起光源と送風手段を備えた光触媒脱臭機であって、前記脱臭フィルタは光触媒シートと吸着剤シートを間隔をあけて複数枚積層された構造で、励起光源の出力を可変する光触媒脱臭機。
【発明の詳細な説明】
【技術分野】
【０００１】
本発明は、有害ガスの除去や悪臭成分の浄化に使用される光触媒脱臭機に関するものである。
【背景技術】
【０００２】
従来、この種の脱臭装置には、光触媒と吸着剤とを混合してなる脱臭剤を用いて、有害ガスや悪臭成分を浄化するものが知られている（例えば、特許文献１参照）。
【０００３】
以下、その脱臭装置について図１６を参照しながら説明する。
【０００４】
図１６に示すように、脱臭装置１０１は板状脱臭体１０２と紫外線ランプ１０３を備えている。板状脱臭体１０２は酸化チタン等の光触媒とゼオライト等の吸着剤とを混合して板状に成形されており、紫外線ランプ１０３は長手方向を板状脱臭体の配列方向に沿わせて配置している。
【先行技術文献】
【特許文献】
【０００５】
【特許文献１】特開平１０−２８６４３６号公報
【発明の概要】
【発明が解決しようとする課題】
【０００６】
このような従来の脱臭装置においては、送風機の働きにより脱臭装置内に浄化対象の空気を吸入し、複数の板状脱臭体の表面に空気を接触させる構造を有している。浄化対象中に含まれるガス成分は複数のガス成分が混合した組成であることが多く、光触媒で速やかに分解できるガス成分もあれば、吸着剤で一旦吸着した後に光触媒で緩やかに分解すべきガス成分もある。そのため従来の脱臭装置においては、光触媒と吸着剤を混合した脱臭剤を用いている。しかし、浄化対象中のガス成分は組成と量の変動に関わらず、脱臭剤中の光触媒と吸着剤の混合比は一定なので、最適な脱臭性能を示すことができないという課題を有していた。
【０００７】
そこで本発明は、上記従来の課題を解決するものであり、光触媒を主要成分とする光触媒シートと吸着剤を主要成分とする吸着剤シートを個別に備えることで、浄化対象中のガス成分の組成と量が変動する場合においても最適な脱臭性能を示すことができる光触媒脱臭機を提供することを目的とする。
【課題を解決するための手段】
【０００８】
そして、この目的を達成するために、本発明は、浄化対象中のガス成分の組成と量の変動に対応して、個別に備えられた光触媒シートと吸着剤シートの機能状態を変化させるものであり、これにより所期の目的を達成するものである。
【発明の効果】
【０００９】
本発明によれば、浄化対象中のガス成分に関して、光触媒で速やかに分解できるガス成分が多い場合には光触媒シートを優先的に機能させ、一旦吸着した後で緩やかに分解すべきガス成分が多い場合には吸着剤シートを優先的に機能させることで、最適な脱臭性能を示すことができるという効果を得ることができる。
【図面の簡単な説明】
【００１０】
【図１】本発明の実施の形態１の光触媒脱臭機を示す概略断面図
【図２】本発明の実施の形態１の光触媒脱臭機を示す概略断面図
【図３】本発明の実施の形態２の光触媒脱臭機を示す概略断面図
【図４】本発明の実施の形態２の光触媒脱臭機を示す概略断面図
【図５】本発明の実施の形態３の光触媒脱臭機を示す概略断面図
【図６】本発明の実施の形態３の光触媒脱臭機を示す概略断面図
【図７】本発明の実施の形態４の光触媒脱臭機を示す概略斜視図
【図８】本発明の実施の形態５の光触媒脱臭機を示す概略斜視図
【図９】本発明の実施の形態６の光触媒脱臭機を示す概略断面図
【図１０】本発明の実施の形態７の光触媒脱臭機を示す概略断面図
【図１１】本発明の実施の形態８の光触媒脱臭機を示す概略断面図
【図１２】本発明の実施の形態９の光触媒脱臭機を示す概略断面図
【図１３】本発明の実施の形態１０の光触媒脱臭機を示す概略断面図
【図１４】本発明の実施の形態１１の光触媒脱臭機を示す概略断面図
【図１５】本発明の実施の形態１２の光触媒脱臭機を示す概略断面図
【図１６】従来の脱臭装置の概略斜視図
【発明を実施するための形態】
【００１１】
本発明の請求項１記載の光触媒脱臭機は、脱臭フィルタと励起光源と送風手段を備えた光触媒脱臭機であって、前記脱臭フィルタは光触媒シートと吸着剤シートを間隔をあけて複数枚積層された構造で、脱臭フィルタの上流側に風向変更手段を備えた構成を有する。これにより、浄化対象中のガス成分の組成と量に対応して、風向変更手段で風向を変更することで、分解が容易なガス成分が多い場合は光触媒シートを優先的に機能させ、分解に時間がかかるガス成分が多い場合には吸着剤シートを優先的に機能させるので、最適な脱臭性能を示すことができるという効果を奏する。
【００１２】
また、脱臭フィルタと励起光源と送風手段を備えた光触媒脱臭機であって、前記脱臭フィルタは光触媒シートと吸着剤シートを密着させた脱臭シートを間隔をあけて複数枚積層し、脱臭シートの露出面が反転する構成にしてもよい。これにより、浄化対象中のガス成分の組成と量に対応して、脱臭シートの露出面が反転することで、分解が容易なガス成分が多い場合は光触媒シートを優先的に機能させ、分解に時間がかかるガス成分が多い場合には吸着剤シートを優先的に機能させるので、最適な脱臭性能を示すことができるという効果を奏する。
【００１３】
また、脱臭フィルタと励起光源と送風手段を備えた光触媒脱臭機であって、前記脱臭フィルタは光触媒シートと吸着剤シートを密着させた脱臭シートを棒状の励起光源の長手方向に対して傾斜角を有するように複数枚積層する構成にしてもよい。これにより、浄化対象中のガス成分の組成と量に対応して、励起光の受光面および処理空気の上流側に配置するシートを変化させるので、分解が容易なガス成分が多い場合は光触媒シートを励起光の照射面に配置させて優先的に機能させ、分解に時間がかかるガス成分が多い場合には吸着剤シートを処理空気の上流側に配置させて優先的に機能させるので、最適な脱臭性能を示すことができるという効果を奏する。
【００１４】
また、光触媒シートと吸着剤シートを環状に連結させてなる脱臭シートを棒状の励起光源の長手方向に対して傾斜角を有するように複数枚積層する構成にしてもよい。これにより、浄化対象中のガス成分の組成と量に対応して、励起光の照射面および処理空気の上流側に配置するシートを変化させるので、分解が容易なガス成分が多い場合は光触媒シートを励起光の照射面に配置させて優先的に機能させ、分解に時間がかかるガス成分が多い場合には吸着剤シートを処理空気の上流側に配置させて優先的に機能させるので、最適な脱臭性能を示すことができるという効果を奏する。
【００１５】
また、開口部を有する光触媒シートと凸部を有する吸着剤シートを密着させた脱臭シートを有する構成にしてもよい。これにより、光触媒シートと吸着剤シートを密着させた脱臭シートにおいて光触媒シートと吸着剤シートの接触面積が増加するので、励起光が照射された光触媒シートで発生した活性酸素種の吸着剤シートへの作用量が増える。したがって、吸着剤シートに吸着されたガス成分を効率的に分解することができるという効果を奏する。
【００１６】
また、浄化対象のガス組成を検知するガスセンサの出力に応じて風向変更手段を制御する構成にしてもよい。これにより、浄化対象中のガス成分の組成と量を検知したガスセンサの出力に対応して、風向変更手段で風向を変更させることで、分解が容易なガス成分が多い場合は光触媒シートを優先的に機能させ、分解に時間がかかるガス成分が多い場合には吸着剤シートを優先的に機能させるので、最適な脱臭性能を示すことができるという効果を奏する。
【００１７】
また、浄化対象のガス組成を検知するガスセンサの出力に応じて脱臭シートの露出面を反転させる構成にしてもよい。これにより、浄化対象中のガス成分の組成と量を検知したガスセンサの出力に対応して、浄化対象中のガス成分の組成と量に対応して、脱臭シートの露出面を反転させることで、分解が容易なガス成分が多い場合は光触媒シートを優先的に機能させ、分解に時間がかかるガス成分が多い場合には吸着剤シートを優先的に機能させるので、最適な脱臭性能を示すことができるという効果を奏する。
【００１８】
また、浄化対象のガス組成を検知するガスセンサの出力に応じて脱臭シートの励起光受光面を反転させる構成にしてもよい。これにより、浄化対象中のガス成分の組成と量を検知したガスセンサの出力に対応して、励起光の受光面および処理空気の上流側に配置するシートを変化させるので、分解が容易なガス成分が多い場合は光触媒シートを励起光の照射面に配置させて優先的に機能させ、分解に時間がかかるガス成分が多い場合には吸着剤シートを処理空気の上流側に配置させて優先的に機能させるので、最適な脱臭性能を示すことができるという効果を奏する。
【００１９】
また、光触媒脱臭機本体の吸入側と吹出し側の両方にガスセンサを備える構成にしてもよい。これにより、浄化対象中のガス成分の組成と量とを検知したガスセンサの出力と、浄化処理後の空気中に含まれる未処理ガス成分の組成と量を検知したガスセンサの出力の双方を比較して、浄化処理後の空気中に分解に時間がかかるガス成分が多い場合には吸着剤シートを処理空気の上流側に配置させて優先的に機能させるので、最適な脱臭性能を示すことができるという効果を奏する。
【００２０】
また、光触媒脱臭機本体の吸入側と吹出し側を連通するバイパスダクト内にガスセンサを備える構成にしてもよい。これにより、浄化対象中のガス成分の組成と量と、浄化処理後の空気中に含まれる未処理ガス成分の組成と量を、バイパスダクト内の空気流通方向を切り替えることで単一のガスセンサにより検知することができる。浄化処理後の空気中に分解に時間がかかるガス成分が多い場合には吸着剤シートを処理空気の上流側に配置させて優先的に機能させるので、最適な脱臭性能を示すことができるという効果を奏する。
【００２１】
また、光触媒脱臭機本体の吸入側と吹出し側を連通するバイパスダクト内に異なる特性の複数のガスセンサを備える構成にしてもよい。これにより、浄化対象中のガス成分の組成と量と、浄化処理後の空気中に含まれる未処理ガス成分の組成と量を、バイパスダクト内の空気流通方向を切り替えることで異なる特性の複数のガスセンサにより高精度に検知することができる。浄化処理後の空気中に分解に時間がかかるガス成分が多い場合には吸着剤シートを処理空気の上流側に配置させて優先的に機能させるので、最適な脱臭性能を示すことができるという効果を奏する。
【００２２】
また、脱臭フィルタと励起光源と送風手段を備えた光触媒脱臭機であって、前記脱臭フィルタは光触媒シートと吸着剤シートを間隔をあけて複数枚積層された構造で、励起光源の出力を可変する構成にしてもよい。これにより、分解が容易なガス成分が多い場合は励起光源の出力を低減させて、分解に時間がかかるガス成分が多い場合には励起光源の吸着剤シートを優先的に機能させるので、少ない消費電力で高い脱臭性能を示すことができるという効果を奏する。
【００２３】
以下、本発明の実施の形態について図面を参照しながら説明する。
【００２４】
（実施の形態１）
図１に示すように、光触媒脱臭機１は光触媒シート２と吸着剤シート３が間隔をあけて積層された脱臭フィルタ４と励起光源５と送風手段６と風向変更手段７を備えている。矢印で示すように送風手段６により吸引された空気は脱臭フィルタ４を通過することで有害ガスや悪臭成分を除去または浄化されるものである。
【００２５】
光触媒シート２は酸化チタンなどの光触媒を含んで平板状に形成されており、励起光源５から照射される紫外線の働きにより、光触媒シート２上でＯＨラジカルなどの活性種が生成され、有害ガスや悪臭成分を分解することができる。
【００２６】
吸着剤シート３は活性炭やゼオライトなどの吸着剤を含んで平板状に形成されており、有害ガスや悪臭成分を吸着除去することができる。
【００２７】
風向変更手段７は複数の平板状の部材であり、空気流通方向において平板状の部材の下流側の一端を回転軸として回転可能な状態で光触媒脱臭機１本体に固定されている。風向変更手段７の平板を回転することで脱臭フィルタ４を通過する風向を変更させることができる。図１では複数の風向変更手段７が連携して風向を制御しており、優先的に光触媒シートに気流が接触する配置を示している。
【００２８】
同様に、図２では複数の風向変更手段７が連携して風向を制御しており、優先的に吸着剤シートに気流が接触する配置を示している。
【００２９】
光触媒の働きで容易に分解できるガス成分が多いと予測される場合、図１に示すように風向変更手段７を配置して、光触媒シートで優先的に分解除去すればよく、光触媒での分解に時間がかかるガス成分が多いと予測される場合、図２に示すように風向変更手段７を配置して、吸着剤シート３で優先的に吸着除去すればよい。なお風向変更手段７の配置は図１と図２の状態に限ったものではなく、光触媒シートと吸着剤シートの両方に同等の気流を接触させる配置にしてもよい。
【００３０】
具体的なガス成分としては、手指の殺菌に用いるエタノール製剤を多く使用する環境においては、光触媒シートでエタノールを分解除去すると、アセトアルデヒドが生成する可能性がある。したがって、このような環境では吸着剤シートを優先的に機能させるよう図２のように風向変更手段７を配置して、吸着剤シートによる吸着除去を優先すればよい。
【００３１】
一方、喫煙機会が多い部屋等でアセトアルデヒドが発生する場合は、図１に示すように風向変更手段を配置して光触媒シートで速やかにアセトアルデヒドを分解除去すればよい。なお、風向変更手段７の構造については上記内容に限ったものではなく、光触媒シートと吸着剤シートの選択を変更できるように風向を変更できるような構造であればよい。
【００３２】
（実施の形態２）
図３と図４において、図１と同様の構成要素については同一の符号を付し、その詳細な説明は省略する。
【００３３】
図３に示すように、光触媒シート２と吸着剤シート３を密着させて脱臭シート８を構成し、２枚の脱臭シート８の吸着剤シート３側の面が接するように脱臭シート８を積層した構造で脱臭フィルタ４を構成している。したがって、図３では光触媒シート２が表面に露出した状態で脱臭フィルタが構成されているが、脱臭シート８を吸着剤シート３が接している面からそれぞれ上下に分割して平行移動させることで、図４に示すように吸着剤シート３が表面に露出している配置に変更することができる。脱臭シート８を平行移動させるための機構については詳細を記載していないが、それぞれの脱臭シート８を上下方向に平行移動可能な状態でレールに固定する構成を用いれば実現可能である。
【００３４】
またこの構造に限ったものではなく、脱臭シート８の処理空気に対する露出面を任意に変更できる構造であれば同様の効果を得ることができる。
【００３５】
実施の形態１と同様に、光触媒の働きで容易に分解できるガス成分が多いと予測される場合、図３に示すように光触媒シート２を露出させて、光触媒シートで優先的に分解除去すればよく、光触媒での分解に時間がかかるガス成分が多いと予測される場合、図４に示すように吸着剤シート３を露出させて、吸着剤シート３で優先的に吸着除去すればよい。
【００３６】
（実施の形態３）
図５と図６において、図１と同様の構成要素については同一の符号を付し、その詳細な説明は省略する。
【００３７】
図５に示すように、光触媒シート２と吸着剤シート３は密着して脱臭シート８を構成し、脱臭シート８が積層された構造で脱臭フィルタ４を構成している。光触媒シート２と吸着剤シート３からなる脱臭シート８は励起光源５の長手方向に対して傾斜角を有するように配置されている。光触媒シート２は励起光の受光面側に配置されており、受光面の反対側に吸着剤シート３が配置されている。
【００３８】
励起光の受光面は空気流通経路においては上流側に面しているので、処理空気が光触媒シート２に優先的に接触する。脱臭シート８の中心部分に設けられた回転軸９を中心に角度を変更することで、脱臭シート８と励起光源５の長手方向に対する傾斜角を変更することができる。
【００３９】
図６は、図５とは反対の状態を示し、吸着剤シート３が励起光の受光面側に配置されている。すなわち空気流通経路においては吸着剤シート３が上流側に面しているので、処理空気が吸着剤シート３に優先的に接触する。
【００４０】
実施の形態１と同様に、光触媒の働きで容易に分解できるガス成分が多いと予測される場合、図５に示すように光触媒シート２を励起光の受光面側に配置させて、光触媒シートで優先的に分解除去すればよく、光触媒での分解に時間がかかるガス成分が多いと予測される場合、図６に示すように吸着剤シート３を空気流通経路の上流側に配置させて、吸着剤シート３で優先的に吸着除去すればよい。
【００４１】
なお、脱臭シート８の傾斜角は図５および図６に示す角度に限ったものではなく、処理対象のガス成分と脱臭フィルタ４の圧力損失に応じて任意に変更すればよい。
【００４２】
（実施の形態４）
図７において、図１と同様の構成要素については同一の符号を付し、その詳細な説明は省略する。
【００４３】
図７に光触媒脱臭機の空気流入側から参照できる部品配置を示す。励起光源５からの励起光は光触媒シート２と吸着剤シート３が環状に連結された脱臭シート８に照射されている。脱臭シート８は励起光源５の長手方向に対して傾斜角を有するように配置されている。環状の脱臭シート８の両端には回転軸１０が備えられており、回転軸１０を回転させることで光触媒シート２と吸着剤シート３の配置を任意に変更できるようになっている。すなわち励起光の受光面側かつ空気流通経路の上流側に配置するシートを光触媒シート２または吸着剤シート３のいずれかに任意に変更することができる。
【００４４】
実施の形態１と同様に、光触媒の働きで容易に分解できるガス成分が多いと予測される場合、光触媒シート２を励起光の受光面側に配置させて、光触媒シートで優先的に分解除去すればよく、光触媒での分解に時間がかかるガス成分が多いと予測される場合、吸着剤シート３を空気流通経路の上流側に配置させて、吸着剤シート３で優先的に吸着除去すればよい。
【００４５】
なお、脱臭シート８の傾斜角は図７に示す角度に限ったものではなく、処理対象のガス成分に応じて任意に変更すればよい。
【００４６】
また、光触媒シート２と吸着剤シート３の配置は図７の状態に限ったものではなく、回転軸１０を操作することによって任意の状態に設置できるものである。
【００４７】
（実施の形態５）
図８に示すように光触媒シート２には開口部１１が設けられ、吸着剤シート３には凸部１２が設けられており、実施の形態２または３のように光触媒シート２と吸着剤シート３は密着して使用される。この構造において、光触媒シート２の開口部１１と吸着剤シート３の凸部１２が対応して接合されるので、密着度合いが向上する。
【００４８】
光触媒シート２では励起光源からの励起光を受光して活性酸素種が発生するので、開口部１１近傍で吸着剤シートに吸着されたガス成分の分解に寄与することができる。開口部と凸部の配置は図８に示した構造に限ったものではなく、活性酸素種を効率良く活用できるような密着状態を実現できる構造であればよく、開口部と凸部の数を増やすことで、さらに効率良く活性酸素種がガス成分の分解に寄与することができる。
【００４９】
また、光触媒シート２に凸部を設け、吸着剤シート３に開口部を設けて、光触媒シート２と吸着剤シート３を密着して使用しても同様の効果を得ることができる。
【００５０】
なお、各シートにおける開口部または凸部の面積については、特に限定するものではなく、光触媒シート２の励起光受光面積と吸着剤シート３の露出面積の面積比を判断基準として決定すればよい。
【００５１】
（実施の形態６）
図９に示すように、図１と同様の構成要素については同一の符号を付し、その詳細な説明は省略する。
【００５２】
図９に示すように、光触媒脱臭機１の空気流入側にガスセンサ１３が配置されている。ガスセンサ１３により流入空気中のガス成分を検知し、光触媒の働きで容易に分解できるガス成分が多いと判断される場合、図９に示すように風向変更手段７を配置して、光触媒シートで優先的に分解除去すればよく、光触媒での分解に時間がかかるガス成分が多いと判断される場合、風向変更手段７の配置を変更して、吸着剤シート３で優先的に吸着除去すればよい。
【００５３】
ガスセンサ１３の特性については特に限定するものではなく、流入空気中のガス成分のうち浄化対象であるガス成分を検知できるような特性を有していれば同様の効果を得ることができる。なお、風向変更手段７の駆動方法については特に明記しなかったが、ガスセンサ１３の信号出力に対応してモーター等の駆動手段で風向変更手段７を動作させればよい。
【００５４】
（実施の形態７）
図１０に示すように、図３と同様の構成要素については同一の符号を付し、その詳細な説明は省略する。
【００５５】
図１０に示すように、光触媒脱臭機１の空気流入側にガスセンサ１３が配置されている。ガスセンサ１３により流入空気中のガス成分を検知し、光触媒の働きで容易に分解できるガス成分が多いと判断される場合、図１０に示すように光触媒シート２を露出させて、光触媒シートで優先的に分解除去すればよく、光触媒での分解に時間がかかるガス成分が多いと判断される場合、吸着剤シート３を露出させて、吸着剤シート３で優先的に吸着除去すればよい。なお、脱臭シートの配置変更方法については特に明記しなかったが、ガスセンサ１３の信号出力に対応して、モーターやギヤ機構等の駆動手段を用いて実施の形態２と同様にレール上における脱臭シート８の位置を変更するなどの手段を用いればよい。
【００５６】
（実施の形態８）
図１１に示すように、図５と同様の構成要素については同一の符号を付し、その詳細な説明は省略する。
【００５７】
図１１に示すように、光触媒脱臭機１の空気流入側にガスセンサ１３が配置されている。ガスセンサ１３により流入空気中のガス成分を検知し、光触媒の働きで容易に分解できるガス成分が多いと判断される場合、図１１に示すように、光触媒シート２を励起光の受光面側に配置させて、光触媒シート２で優先的に分解除去すればよく、光触媒での分解に時間がかかるガス成分が多いと判断される場合、吸着剤シート３を空気流通経路の上流側に配置させて、吸着剤シート３で優先的に吸着除去すればよい。なお、脱臭シートの回転方法については特に明記しなかったが、ガスセンサ１３の信号出力に対応してモーターやギヤ機構等の駆動手段で脱臭シートの位置を変更すればよい。
【００５８】
（実施の形態９）
図１２に示すように、図５と同様の構成要素については同一の符号を付し、その詳細な説明は省略する。
【００５９】
図１２に示すように、光触媒脱臭機１の吸入側と吹出し側にそれぞれガスセンサ１３が配置されている。吸入側のガスセンサ１３により流入空気中のガス成分を検知し、光触媒の働きで容易に分解できるガス成分が多いと判断される場合、図１２に示すように、光触媒シート２を励起光の受光面側に配置させて、光触媒シートで優先的に分解除去すればよく、光触媒での分解に時間がかかるガス成分が多いと判断される場合、吸着剤シート３を空気流通経路の上流側に配置させて、吸着剤シート３で優先的に吸着除去すればよい。さらに、吹出し側のガスセンサ１３により排出空気中のガス成分を検知し、光触媒の働きで新たに生成されたガス成分が排出空気中に含まれると判断される場合、吸着剤シート３を空気流通経路の上流側に配置させて、光触媒シート２の機能を抑え、吸着剤シート３を優先的に機能させればよい。
【００６０】
（実施の形態１０）
図１３に示すように、図１１と同様の構成要素については同一の符号を付し、その詳細な説明は省略する。
【００６１】
図１３に示すように、光触媒脱臭機１の吸入側と吹出し側を連通させるバイパスダクト１４が備えられており、バイパスダクト１４の内部にはガスセンサ１３と補助送風手段１５が備えられている。
【００６２】
補助送風手段１５の働きにより吸入側から一部の空気を吸引し、ガスセンサ１３によりガス成分を検知する。流入空気中に光触媒の働きで容易に分解できるガス成分が多いと判断される場合、図１３に示すように、光触媒シート２を励起光の受光面側に配置させて、光触媒シートで優先的に分解除去すればよく、光触媒での分解に時間がかかるガス成分が多いと判断される場合、吸着剤シート３を空気流通経路の上流側に配置させて、吸着剤シート３で優先的に吸着除去すればよい。
【００６３】
また、補助送風手段１５を逆回転させることで吹出し側の空気をバイパスダクト内に吸引し、ガスセンサ１３により排出空気中のガス成分を検知することで、光触媒の働きで新たに生成されたガス成分が排出空気中に含まれると判断される場合、吸着剤シート３を空気流通経路の上流側に配置させて、光触媒シート２の機能を抑え、吸着剤シート３を優先的に機能させればよい。
【００６４】
バイパスダクト１４と補助送風手段１５を利用することで、単一のガスセンサで吸入側と吹出し側の両方のガス成分を検出することができる。なお、補助送風手段１５は常時運転する必要はなく、ガス成分の検出が必要なタイミングで動作させればよい。
【００６５】
（実施の形態１１）
図１４に示すように、図１３と同様の構成要素については同一の符号を付し、その詳細な説明は省略する。
【００６６】
図１４に示すように、バイパスダクト１４内には２つのガスセンサ１３と補助送風手段１５とが備えられている。補助送風手段１５の働きにより吸入側から一部の空気を吸引し、ガスセンサ１３によりガス成分を検知する。２つのガスセンサは異なる特性を有しているので、ガス成分の組成を正確に検知できる。これにより、優先的に機能させる光触媒シート２、吸着剤シート３の切替を的確に行える。
【００６７】
流入空気中に光触媒の働きで容易に分解できるガス成分が多いと判断される場合、図１４に示すように、光触媒シート２を励起光の受光面側に配置させて、光触媒シートで優先的に分解除去すればよく、光触媒での分解に時間がかかるガス成分が多いと判断される場合、吸着剤シート３を空気流通経路の上流側に配置させて、吸着剤シート３で優先的に吸着除去すればよい。また、補助送風手段１５を逆回転させることで吹出し側の空気をバイパスダクト内に吸引し、ガスセンサ１３により排出空気中のガス成分を検知することで、光触媒の働きで新たに生成されたガス成分が排出空気中に含まれると判断される場合、吸着剤シート３を空気流通経路の上流側に配置させて、光触媒シート２の機能を抑え、吸着剤シート３を優先的に機能させればよい。なお、バイパスダクト１４内には２つのガスセンサが備えられているとしたが、２個に限ったものではなく、３個以上の異なる特性のガスセンサを利用することで、さらに高精度にガス成分を検知することができる。
【００６８】
（実施の形態１２）
図１５に示すように、図１と同様の構成要素については同一の符号を付し、その詳細な説明は省略する。
【００６９】
図１５に示すように、光触媒脱臭機１は光触媒シート２と吸着剤シート３が間隔をあけて積層された脱臭フィルタ４と励起光源５と送風手段６を備えている。矢印で示すように送風手段６により吸引された空気は脱臭フィルタ４を通過することで有害ガスや悪臭成分を除去または浄化されるものである。光触媒の働きで容易に分解できるガス成分が多いと予測される場合、励起光源５の出力を増やし、速やかに分解浄化することできる。一方、光触媒シート２で新たなガス成分の生成可能性が予測される場合、励起光源５の出力を抑え、吸着剤シート３で優先的に吸着除去すればよい。励起光源５の出力変更についてはインバータ回路で制御すればよく、その制御方法については特に限定されるものではない。
【産業上の利用可能性】
【００７０】
本発明にかかる光触媒脱臭機は、浄化対象中のガス成分に関して、光触媒で速やかに分解できるガス成分が多い場合には光触媒シートを優先的に機能させ、一旦吸着した後で緩やかに分解すべきガス成分が多い場合には吸着剤シートを優先的に機能させることで、最適な脱臭性能を示すことを可能とするものであるので、有害ガスの除去や悪臭成分の浄化に使用される光触媒脱臭機等として有用である。
【符号の説明】
【００７１】
１      光触媒脱臭機
２      光触媒シート
３      吸着剤シート
４      脱臭フィルタ
５      励起光源
６      送風手段
７      風向変更手段
８      脱臭シート
９      回転軸
１０    回転軸
１１    開口部
１２    凸部
１３    ガスセンサ
１４    バイパスダクト
１５    補助送風手段
１０１  脱臭装置
１０２  板状脱臭体
１０３  紫外線ランプ
【図１】
2011143133.tif 000003
【図２】
2011143133.tif 000004
【図３】
2011143133.tif 000005
【図４】
2011143133.tif 000006
【図５】
2011143133.tif 000007
【図６】
2011143133.tif 000008
【図７】
2011143133.tif 000009
【図８】
2011143133.tif 000010
【図９】
2011143133.tif 000011
【図１０】
2011143133.tif 000012
【図１１】
2011143133.tif 000013
【図１２】
2011143133.tif 000014
【図１３】
2011143133.tif 000015
【図１４】
2011143133.tif 000016
【図１５】
2011143133.tif 000017
【図１６】
2011143133.tif 000018